(57)【要約】本発明は、ＯＬＥＤ（Ｏｒｇａｎｉｃ  Ｌｉｇｈｔ−Ｅｍｉｔｔｉｎｇ  Ｄｉｏｄｅ）スクリーン、表示制御方法、電子機器、プログラム及び記録媒体に関する。前記スクリーンは、第１領域および第２領域を含み、前記第１領域は、複数個の第１発光部が設けられ、前記第２領域は、複数個の第２発光部が設けられ、前記スクリーンは、前記第１発光部および前記第２発光部に電気的に接続され、前記第１発光部および第２発光部が発光するように駆動する駆動素子組をさらに含み、前記駆動素子組は、前記スクリーンの前記第２領域以外の領域に設けられるとともに、少なくとも前記第１領域内に設けられる。本発明は、フルスクリーンを容易に設計でき、また、一部の透明表示を実現することができる。【選択図】図２
2021502578.tif 000002
【特許請求の範囲】
【請求項１】
スクリーンは、第１領域および第２領域を含み、前記第１領域は、複数個の第１発光部が設けられ、前記第２領域は、複数個の第２発光部が設けられ、
前記スクリーンは、前記第１発光部および前記第２発光部に電気的に接続され、前記第１発光部および第２発光部が発光するように駆動する駆動素子組をさらに含み、
前記駆動素子組は、前記スクリーンの前記第２領域以外の領域に設置されるとともに、少なくとも前記第１領域内に設けられることを特徴とするＯＬＥＤスクリーン。
【請求項２】
前記駆動素子組は、前記第１領域内に設けられ、または、前記第１領域および前記第１領域と前記第２領域の間隔領域に設置されることを特徴とする請求項１に記載のＯＬＥＤスクリーン。
【請求項３】
前記駆動素子組は、
前記第１領域内に設けられ、対応する前記第１発光部のみに電気的に接続されて、接続された第１発光部が発光するように駆動する少なくとも１つの第１駆動素子と、
前記第１領域内に設けられ、対応する第１発光部および第２発光部にそれぞれ電気的に接続されて、接続された第１発光部および第２発光部が発光するように駆動する少なくとも１つの第２駆動素子を含むことを特徴とする請求項１または２に記載のＯＬＥＤスクリーン。
【請求項４】
前記駆動素子組は、
前記第１領域内に設けられ、それぞれの前記第１発光部に一対一に対応するように電気的に接続されて、接続された第１発光部が発光するように駆動する複数個の第１駆動素子と、
前記第１領域および/または前記間隔領域に設置されて対応する第２発光部のみに電気的に接続されて、接続された第２発光部が発光するように駆動する少なくとも１つの第２駆動素子を含むことを特徴とする請求項２に記載のＯＬＥＤスクリーン。
【請求項５】
前記第２駆動素子は、導電性媒質を介して対応する第２発光部に電気的に接続されることを特徴とする請求項３に記載のＯＬＥＤスクリーン。
【請求項６】
前記第２領域内のそれぞれの第２発光部が同一の第２駆動素子に接続されることを特徴とする請求項３に記載のＯＬＥＤスクリーン。
【請求項７】
前記第２領域内のそれぞれの第２発光部が複数個のグループに分け、それぞれのグループは、少なくとも１つの第２発光部を含み、
同一のグループ内の第２発光部が同一の第２駆動素子に接続され、異なるグループ内の第２発光部が異なる第２駆動素子に接続されることを特徴とする請求項３に記載のＯＬＥＤスクリーン。
【請求項８】
それぞれの前記第１駆動素子および第２駆動素子は、それぞれ複数個の駆動ユニットを含み、それぞれの前記第１発光部および第２発光部は、それぞれ複数個の異なるカラーの発光ユニットを含み、
前記第１駆動素子内のそれぞれの前記駆動ユニットは、それぞれ前記第１駆動素子が接続された第１発光部中の発光ユニットに一対一に対応するように接続され、
前記第２駆動素子内のそれぞれの前記駆動ユニットは、それぞれ前記第２発光部のうち、それぞれの発光ユニットに一対一に対応するように接続され、前記第２駆動素子が第１発光部に接続される場合、前記第２駆動素子のうち、それぞれの前記駆動ユニットが前記第１発光部中のそれぞれの発光ユニットに一対一に対応するように接続され、また、同一の駆動ユニットが接続された発光ユニットの発光色は同一であることを特徴とする請求項６または７に記載のＯＬＥＤスクリーン。
【請求項９】
前記第２領域内の同一行の第２発光部が同一グループ内に位置し、それぞれのグループは、少なくとも１行の第２発光部を含むことを特徴とする請求項８に記載のＯＬＥＤスクリーン。
【請求項１０】
前記第２領域内の同一列の第２発光部が同一グループ内に位置し、それぞれのグループは、少なくとも１列の第２発光部を含むことを特徴とする請求項８に記載のＯＬＥＤスクリーン。
【請求項１１】
それぞれのグループのそれぞれの第２発光部が接続された第２駆動素子は、前記第１領域の周縁の前記グループと隣接位置に位置することを特徴とする請求項８に記載のＯＬＥＤスクリーン。
【請求項１２】
前記第２領域内のそれぞれの行の第２発光部は、第１グループおよび第１グループと隣接する第２グループに分け、
前記第１グループ内の第２発光部は、前記行内の第１グループと隣接する第２駆動素子に接続され、
前記第２グループ内の第２発光部は、前記行内の第２グループと隣接する第２駆動素子に接続されることを特徴とする請求項１１に記載のＯＬＥＤスクリーン。
【請求項１３】
前記第２領域内のそれぞれの列の第２発光部は、第３グループおよび第３グループと隣接する第４グループに分け、
前記第３グループ内の第２発光部は、前記列内の第３グループと隣接する第２駆動素子に接続され、
前記第４のグループ内の第２発光部は、前記列内の第４グループと隣接する第２駆動素子に接続されることを特徴とする請求項１１に記載のＯＬＥＤスクリーン。
【請求項１４】
同一グループ内のそれぞれの第２発光部は隣接して設けられることを特徴とする請求項７に記載のＯＬＥＤスクリーン。
【請求項１５】
前記導電性媒質は、透明な導電性材料で構成されることを特徴とする請求項５に記載のＯＬＥＤスクリーン。
【請求項１６】
前記導電性媒質は、金属導線または導電性接着層を含むことを特徴とする請求項５に記載のＯＬＥＤスクリーン。
【請求項１７】
前記発光ユニットは、ＬＥＤを含むことを特徴とする請求項８に記載のＯＬＥＤスクリーン。
【請求項１８】
ＯＬＥＤスクリーンに適用される表示制御方法であって、
前記スクリーンは、第１領域、第２領域および駆動素子組を含み、前記第１領域は、複数個の第１発光部が設けられ、前記第２領域は、複数個の第２発光部が設けられ、前記駆動素子組は、前記スクリーンの前記第２領域以外の位置に設置されるとともに、少なくとも前記第１領域内に設けられ、前記方法は、
表示制御信号を受信するステップと、
前記表示制御信号によって前記駆動素子組を用いて前記第１発光部および前記第２発光部が発光するように駆動するステップを含むことを特徴とする表示制御方法。
【請求項１９】
請求項１乃至１７のいずれか１項に記載のＯＬＥＤスクリーンを備えることを特徴とする電子機器。
【請求項２０】
前記第２領域は、カメラユニットがさらに設置されることを特徴とする請求項１９に記載の電子機器。
【発明の詳細な説明】
【技術分野】
【０００１】
本発明は、表示装置の分野に関するものであり、更に詳細には、ＯＬＥＤスクリーン、表示制御方法および電子機器に関するものである。
【０００２】
本出願は、出願番号が２０１８１１１１０３１２．２であり、出願日が２０１８年９月２１日の中国特許出願を基礎として優先権を主張し、その中国の特許出願の内容全体は、本願発明に援用される。
【背景技術】
【０００３】
ユーザーの使用体験性を向上させるために、技術者は日増しに電子機器のスクリーンをフルスクリーンにデザインすることに没頭している。しかし、通常、カメラなどの機能ユニットを電子機器に設置する必要があるとともに、スクリーンと同一面に設置する必要があるため、これらの機能ユニットを装着するための少なくとも１つの領域を保留する必要がある。このような場合には、通常、スクリーンにおいて、これらの機能ユニットのために対応する位置にスロットを開設して、相応の機能ユニットを装着しなければならない。したがって、このような装着構成は、フルスクリーンの表示を真に実現することができなくなり、同時にスクリーンに開孔などの処理を行わなければならないため、製造工程が複雑になる。
【発明の概要】
【発明が解決しようとする課題】
【０００４】
本発明は、関連技術に存在する問題を克服するために、フルスクリーンを容易に実現できる有機発光ダイオード（ＯＬＥＤ）スクリーン、表示制御方法、および電子機器を提供する。
【課題を解決するための手段】
【０００５】
本発明の第１態様によれば、ＯＬＥＤスクリーンが提供され、前記スクリーンは、第１領域および第２領域を含み、前記第１領域は、複数個の第１発光部が設けられ、前記第２領域は、複数個の第２発光部が設けられ、
前記スクリーンは、前記第１発光部および前記第２発光部に電気的に接続され、前記第１発光部および第２発光部が発光するように駆動する駆動素子組をさらに含み、
前記駆動素子組は、前記スクリーンの前記第２領域以外の領域に設置されるとともに、少なくとも前記第１領域内に設けられる。
【０００６】
一可能な実現形態において、前記駆動素子組は、前記第１領域内に設けられ、または、前記第１領域および前記第１領域と前記第２領域の間隔領域に設けられる。
【０００７】
一可能な実現形態において、前記駆動素子組は、
前記第１領域内に設けられ、対応する前記第１発光部のみに電気的に接続されて、接続された第１発光部が発光するように駆動する少なくとも１つの第１駆動素子と、
前記第１領域内に設けられ、対応する第１発光部および第２発光部にそれぞれ電気的に接続されて、接続された第１発光部および第２発光部が発光するように駆動する少なくとも１つの第２駆動素子を含む。
【０００８】
一可能な実現形態において、前記駆動素子組は、
前記第１領域内に設けられ、それぞれの前記第１発光部に一対一に対応するように電気的に接続されて、接続された第１発光部が発光するように駆動する複数個の第１駆動素子と、
前記第１領域および/または前記間隔領域に設置されて対応する第２発光部のみに電気的に接続されて、接続された第２発光部が発光するように駆動する少なくとも１つの第２駆動素子を含む。
【０００９】
一可能な実現形態において、前記第２駆動素子は、導電性媒質を介して対応する第２発光部に電気的に接続される。
【００１０】
一可能な実現形態において、前記第２領域内のそれぞれの第２発光部が同一の第２駆動素子に接続される。
【００１１】
一可能な実現形態において、前記第２領域内のそれぞれの第２発光部が複数個のグループに分け、それぞれのグループは、少なくとも１つの第２発光部を含み、
同一のグループ内の第２発光部が同一の第２駆動素子に接続され、異なるグループ内の第２発光部が異なる第２駆動素子に接続される。
【００１２】
一可能な実現形態において、それぞれの前記第１駆動素子および第２駆動素子は、それぞれ複数個の駆動ユニットを含み、それぞれの前記第１発光部および第２発光部は、それぞれ複数個の異なるカラーの発光ユニットを含み、
前記第１駆動素子内のそれぞれの前記駆動ユニットは、それぞれ前記第１駆動素子が接続された第１発光部中の発光ユニットに一対一に対応するように接続され、
前記第２駆動素子内のそれぞれの前記駆動ユニットは、それぞれ前記第２発光部のうち、それぞれの発光ユニットに一対一に対応するように接続され、前記第２駆動素子が第１発光部に接続される場合、前記第２駆動素子のうち、それぞれの前記駆動ユニットが前記第１発光部中のそれぞれの発光ユニットに一対一に対応するように接続され、また、同一の駆動ユニットが接続された発光ユニットの発光色は同一である。
【００１３】
一可能な実現形態において、前記第２領域内の同一行の第２発光部が同一グループ内に位置し、それぞれのグループは、少なくとも１行の第２発光部を含む。
【００１４】
一可能な実現形態において、前記第２領域内の同一列の第２発光部が同一グループ内に位置し、それぞれのグループは、少なくとも１列の第２発光部を含む。
【００１５】
一可能な実現形態において、それぞれのグループのそれぞれの第２発光部が接続された第２駆動素子は、前記第１領域の周縁の前記グループと隣接する位置に位置する。
【００１６】
一可能な実現形態において、前記第２領域内のそれぞれの行の第２発光部は、第１グループおよび第１グループと隣接する第２グループに分け、
前記第１グループ内の第２発光部は、前記行内の第１グループと隣接する第２駆動素子に接続され、
前記第２グループ内の第２発光部は、前記行内の第２グループと隣接する第２駆動素子に接続される。
【００１７】
一可能な実現形態において、前記第２領域内のそれぞれの列の第２発光部は、第３グループおよび第３グループと隣接する第４グループに分け、
前記第３グループ内の第２発光部は、前記列内の第３グループと隣接する第２駆動素子に接続され、
前記第４のグループ内の第２発光部は、前記列内の第４グループと隣接する第２駆動素子に接続される。
【００１８】
一可能な実現形態において、同一グループ内のそれぞれの第２発光部は隣接して設けられる。
【００１９】
一可能な実現形態において、前記導電性媒質は、透明な導電性材料で構成される。
【００２０】
一可能な実現形態において、前記導電性媒質は、金属導線または導電性接着層を含む。
【００２１】
一可能な実現形態において、前記発光ユニットは、ＬＥＤを含む。
【００２２】
本発明の第２態様によれば、ＯＬＥＤのスクリーンに適用される表示制御方法を提供し、前記スクリーンは、第１領域、第２領域および駆動素子組を含み、前記第１領域は、複数個の第１発光部が設けされ、前記第２領域は、複数個の第２発光部が設けられ、前記駆動素子組は、前記スクリーンの前記第２領域以外の位置に設置されるとともに、少なくとも前記第１領域内に設けられ、前記方法は、
表示制御信号を受信するステップと、
前記表示制御信号によって前記駆動素子組を用いて前記第１発光部および前記第２発光部が発光するように駆動するステップを含む。
【００２３】
本発明の第３態様によれば、第１態様のいずれかの方面に記載された前記ＯＬＥＤスクリーンを含むことを特徴とする電子機器を提供する。
【００２４】
一可能な実現形態において、前記第２領域は、カメラユニットがさらに設けられる。
【発明の効果】
【００２５】
本発明の実施例を示した技術方案は下記の有益な効果を含むことができる。
【００２６】
本発明の実施例は、スクリーンの一部の表示領域に駆動素子を設置せず、他の領域に設置した駆動素子の電気的な接続を介して発光を駆動することができる。これによって、一部の領域は透明状態を示すことができ、また、カメラなどの機能ユニットを設置する場合、前記機能性ユニットを前記透明状態の領域に直接設置することができて、機能性ユニットのためにスロットを設置するか、またはその他の位置を保留しておく必要がなくなって、スクリーンのフルスクリーンを簡単かつ容易に設計することができる。
【００２７】
なお、以上の一般的な記述および后述の詳細な記述は単なる例示的なものに過ぎず、本発明を限定するものではない。
【図面の簡単な説明】
【００２８】
ここの図面は、明細書に組み入れて本明細書の一部分を構成し、本発明に該当する実施例を例示するとともに、明細書とともに本発明の原理を解釈する。
【図１】本発明の実施例に係るＯＬＥＤスクリーンを示す構造図である。
【図２】本発明の実施例に係るＯＬＥＤスクリーンの駆動断面構造を示す説明図である。
【図３】本発明の実施例に係るＯＬＥＤスクリーンの駆動素子組の構造を示す説明図である。
【図４】本発明の実施例に係るＯＬＥＤスクリーンの駆動素子組の構造を示す他の説明図である。
【図５】本発明の実施例に係るＯＬＥＤスクリーンの駆動素子組の構造を示す他の説明図である。
【図６】本発明の実施例に係るＯＬＥＤスクリーンにおける発光ユニットと駆動ユニットの接続関係を示す説明図である。
【図７】本発明の実施例に係るＯＬＥＤスクリーンにおける駆動素子内の駆動ユニットの回路構造を示す説明図である。
【図８】本発明の実施例に係るＯＬＥＤスクリーンにおける第２発光部と第２駆動素子の接続関係を示す説明図である。
【図９】本発明の他の実施形態に係るＯＬＥＤスクリーンにおける第２発光部と第２駆動素子の接続関係を示す説明図である。
【図１０】本発明の他の実施形態に係るＯＬＥＤスクリーンにおける第２発光部と第２駆動素子の接続関係を示す説明図である。
【図１１】本発明の他の実施形態に係るＯＬＥＤスクリーンにおける第２発光部と第２駆動素子の接続関係を示す説明図である。
【図１２】本発明の他の実施形態に係るＯＬＥＤスクリーンにおける第２発光部と第２駆動素子の接続関係を示す説明図である。
【図１３】本発明の他の実施形態に係るＯＬＥＤスクリーンにおける第２発光部と第２駆動素子の接続関係を示す説明図である。
【図１４】本発明の他の実施形態に係るＯＬＥＤスクリーンにおける第２発光部と第２駆動素子の接続関係を示す説明図である。
【図１５】本発明の実施形態に係る表示制御方法を示すフローチャートである。
【図１６】本発明の実施形態に係る電子装置を示すブロック図である。
【発明を実施するための形態】
【００２９】
以下、例示的な実施例を詳しく説明し、その例示を図面に示す。以下の記載が図面に関わる場合、特に別の説明がない限り、異なる図面における同一符号は、同じまたは類似する要素を示す。以下の例示的な実施例に記載の実施形態は、本発明と一致する全ての実施形態を代表するものではない。即ち、それらは、特許請求の範囲に記載の本発明のある側面に一致する装置および方法の例に過ぎない。
【００３０】
図１は、本発明の実施例に係るＯＬＥＤスクリーンを示す構造図である。本発明の実施例に係るＯＬＥＤスクリーンは、表示機能を備える携帯電話、コンピュータ、ビデオプレーヤー、ＴＶ、スマートブレスレット、スマート時計等のいずれの電子機器に適用することができる。なお、表示機能を備える電子機器のそれぞれには、本発明の実施例に係るＯＬＥＤスクリーンが適用されることができるが、本発明はこれに対して具体的な限定をしない。本発明の実施例に係るＯＬＥＤスクリーンは、一部の表示領域に駆動素子を設置せず、他の領域の駆動素子の電気的接続を介して発光を駆動することができ、一部の領域が透明状態を示すことができ、カメラなどの機能ユニットを設置するとき、前記機能性ユニットを前記透明状態の領域に直接設置することができて、機能性ユニットのためにスロットを設置したり、またはその他の位置を保留したりしておく必要がなくなり、スクリーンのフルスクリーンを簡単かつ容易に設計することができる。
【００３１】
図１に示すように、本発明の実施例に係るＯＬＥＤスクリーンは、第１領域１０および第２領域２０を含むことができ、第１領域１０および第２領域２０は、それぞれ複数個の発光部を設置することができ、このような発光部がＯＬＥＤスクリーンのそれぞれの画素ドットを構成することができ、また、前記複数個の発光部が複数行、複数列に排列することができ、それぞれの画素ドットに対して表示駆動制御を実施することでスクリーンに異なる色、イメージなどを示すことができる。ここで、それぞれの発光部の配置形態について、本発明の実施例は限定せず、既存の技術手段によって実現することができる。以下、本発明の実施例に対する説明の便宜を図るために、第１領域１０内に設けられた発光部を第１発光部１１と称し、第２領域２０内に設けられた発光部を第２発光部２１と称する。また、第１領域１０は、少なくとも１つの第１発光部１１を含み、第２領域は、少なくとも１つの第２発光部２１（図２に示すように）を含む。
【００３２】
本発明の実施例のそれぞれの発光部は、少なくとも１つの発光ユニットを含むことができ、それぞれの発光部中の発光ユニットは、同一の発光色を有してもよく、また、異なる発光色を有してもよい。または、一部の発光ユニットの発光色が同一であってもよい。それぞれの発光ユニットは、少なくとも１つのＬＥＤを含むことができ、ＬＥＤの材料に応じて相応の発光ユニットの発光色を確定することができ、それぞれの発光ユニットに対して駆動制御を実施して全体の発光部の発光制御を実現することができある。
【００３３】
図２は、本発明の実施例に係るＯＬＥＤスクリーンの駆動断面構造を示す説明図である。第１領域１０および第２領域２０内のそれぞれの発光部は、受信した電気信号により駆動発光することができる。例えば、受信した電圧が電圧閾値よりも大きいか、または受信した電流が電流閾値よりも大きいとき、発光部が駆動されて発光することができる。本発明の実施例では、第２領域２０以外の領域に駆動素子組３０が設けられることができる。例えば、駆動素子組３０は、第１領域内に設けられ、または第１領域および第１領域と第２領域の間隔領域に設置することができる。また、駆動素子組３０は、第１発光部１１および第２発光部２１を発光するように駆動されることができる。
【００３４】
また、本発明の実施例の駆動素子組は、スクリーンのＴＦＴ（薄膜トランジスタ）基板内に位置してＯＬＥＤスクリーンの表示駆動回路を構成し、受信された表示制御信号により、第１領域内の第１発光部１１と第２領域内の第２発光部２１を駆動制御することができる。駆動素子組３０の回路構造について、本分野の技術者が需要に応じて適当な回路構造を選択して前記駆動制御を実行することができる。本発明の実施例は、これに対して限定しない。
【００３５】
また、スクリーンの平坦な状態と第２領域の透明状態を確保するために、第１領域１０および第２領域２０のそれぞれの発光部が発光層Ａ内に位置し、前記発光層Ａの下方に駆動層Ｂを設置し、駆動素子組３０が前記駆動層Ｂに設けられることができる。しかし、第２領域２０に対応する駆動層Ｂの位置には、駆動素子組を設置せず、第２領域の駆動層Ｂは、透明な材質の基板で構成され、また、第１領域の駆動層と同一面を構成して、第１領域および第２領域の平坦度を確保することができる。また、駆動層と発光層との間に絶縁層、緩和層などを設置して発光層への影響を免れることができる。絶縁層は、任意の絶縁材料を含むことができる。本発明の実施例は、これに対して限定しない。
【００３６】
また、本発明の実施例では、駆動素子組が第２発光部に電気的に接続されるとき、導電性媒質（図示せず）を介して電気的接続を実現することができ、前記電気媒質は、金属導線または導電性接着層を含んでもよい。または、本発明の実施例では、導電性媒体が任意の導電体であってもよい。駆動素子組３０の駆動信号を第２発光部２１に転送することが可能なものであれば、本発明の実施例の導電性媒質として使用することができる。したがって、本発明の実施例は、第２領域２０内にいずれの駆動素子組を設置しないため、スクリーンの第２領域２０は透明状態を示すことができる。
【００３７】
第２領域２０の透明度を向上させるために、本発明の実施例の導電性媒質は、透明な導電性材料で構成されるので、導電性媒質が透明度への影響を減少することができる。例えば、透明導電性材料は、透明な導電性接着層であってもよく、または透明な電極などであってもよい。本発明の実施例は、これに対して限定しない。
【００３８】
上述した配置によって、本発明の実施例は、駆動素子組３０を第２領域２０に設置しないので、第２領域２０は透明度を備えることができ、透明状態を示すことができる。前記第２領域の発光部の下方にカメラなどの機能ユニットを設置することができ、このような機能性ユニットのためにスロットなどを開設する必要がないので、フルスクリーンを容易に設計することができ、同時にスロット開設などによる煩雑な工程を減らすことができる。
【００３９】
以下、本発明の実施例の駆動素子組について詳細に説明する。図３は、本発明の実施例に係るＯＬＥＤスクリーンの駆動素子組の構造を示す説明図である。本発明のある実施例において、駆動素子組３０は、複数個の第１駆動素子３１と、少なくとも１つの第２駆動素子３２を含み、第１駆動素子３１および第２駆動素子３２は、ともに第１領域１０内に設けられる。また、第１駆動素子３１は、単に対応する前記第１発光部１１のみに電気的に接続されて、接続された第１発光部１１の発光を駆動し、第２駆動素子は、対応する第１発光部１１および第２発光部２１に電気的接続されて、接続された第１発光部１１および第２発光部２１の発光を駆動する。つまり、それぞれの第１駆動素子３１は、第１発光部１１のみに電気的に接続されて、それぞれの第２発光部３２は、それぞれ第１発光部１１および第２発光部２１に電気的に接続することができる。また、それぞれの第１駆動素子３１は、１つの第１発光部１１のみを駆動するために用いられることができ、第２駆動素子３２も、１つの第１発光部１１のみを駆動するために用いられることができ、同時に少なくとも１つの第２発光部２１を駆動することができる。本発明の実施例の第２駆動素子３２は複数個であってもよいが、本発明の実施例は、これに対して限定しない。
【００４０】
上述した配置を介して、第１発光部を駆動するための駆動素子のうちの一部によって第２発光部を同時に駆動することができて、駆動素子を別途設置する必要がなくなって、第２領域の透光率を容易に増大することができる。
【００４１】
図４および図５は、本発明の実施例に係るＯＬＥＤスクリーンの駆動素子組の構造を示す他の説明図である。第２領域以外の領域に、単独で第２発光部を駆動する駆動素子を設置することができる。図４に示すように、本発明のある実施例において、駆動素子組３０は、複数個の第１駆動素子３１と、少なくとも１つの第２駆動素子３２を含むことができる。第１駆動素子３１は、第１領域内に設置することができ、第２駆動素子３２は、第１領域と第２領域の間隔領域内に設置することができ、また、第１駆動素子３１は、それぞれの前記第１発光部１１に一対一に対応するように電気的に接続されて、接続された第１発光部１１が発光するように駆動し、第２駆動素子３２は、単に第２発光部２１のみに電気的に接続されて、接続された第２発光部２１が発光するように駆動し、第２駆動素子３２は複数個であってもよいが、本発明の実施例はこれに対して限定しない。ここで、それぞれの導電性媒質を介して第２発光部と、それぞれの第２駆動素子３２の電気的接続を実現することができる。
【００４２】
図５に示すように、本発明のある実施例において、駆動素子組３０は、複数個の第１駆動素子３１と、少なくとも１つの第２駆動素子３２を含むことができ、第１駆動素子３１および第２駆動素子３２はともに第１領域内に設置することができ、また、第１駆動素子３１はそれぞれの前記第１発光部１１に一対一に対応するように電気的に接続されて、接続された第１発光部１１が発光するように駆動する。第２駆動素子３２は、単に第２発光部２１のみに電気的に接続されて、接続された第２発光部２１が発光するように駆動し、第２駆動素子３２は複数個であってもよいが、本発明の実施例はこれに対して限定しない。ここで、それぞれの導電性媒質を介して、第２発光部とそれぞれの第２駆動素子３２の電気的接続を実現することができる。
【００４３】
上述した配置を介して、第１領域内にそれぞれの第１発光部のために対応する第１駆動素子をそれぞれ設置し、同時に第１領域と第２領域の間隔領域に第２発光部を駆動するための第２駆動素子を設置することができるので、第１領域内のそれぞれの第１発光部の発光形態の制限を受けずに第２領域内の第２発光部を単独で制御することができる。
【００４４】
または、本発明の他の実施例において、駆動素子組３０は、複数個の第１駆動素子３１と、少なくとも１つの第２駆動素子３２を含むことができる。第１駆動素子３１は、第１領域内に設けられることができ、また、それぞれの第１駆動素子は、対応する第１発光部１１に電気的に接続することができ、第２駆動素子３２は、同時に、第１領域および間隔の領域に設置することができる。また、第２駆動素子は、単に第２発光部のみに接続することができ、または第２駆動素子は、第１発光部および第２発光部にそれぞれ接続することができるが、本発明の実施例はこれについて具体的に限定しない。本発明の実施例の第２駆動素子の設置形態は、前記実施例のいずれの組み合わせであってもよい。
【００４５】
前記実施例の駆動素子組３０の設置によると、第２発光部の駆動および第２領域の透明表示を実現することができる。以下、本発明の実施例は、それぞれの第２駆動素子３２と第２領域の第２発光部２１の接続形態について詳細に説明する。本発明の実施例において、第２領域２０内の第２発光部２１は、１つの駆動素子３２によって駆動されることができる。すなわち、第２領域２０内のそれぞれの第２発光部２１は、同一の第２駆動素子３２に接続することができる。また、前記第２駆動素子は、第１領域または間隔領域に設置することができる。
【００４６】
以下、本発明の実施例の駆動素子組のうちの、それぞれの駆動素子の構造について詳細に説明する。本発明の実施例において、駆動素子（第１駆動素子および第２駆動素子）は、複数個の駆動ユニットを含むことができる。前記駆動ユニットの数量は、発光部のうちの発光ユニットの数量に対応する。すなわち、それぞれの駆動ユニットは、１つの発光ユニットに対応し、対応する駆動ユニットにより発光ユニットの駆動制御を実現することができる。上述したように、発光部は、異なる発光色の発光ユニットを含むことができるので、それぞれの駆動ユニットは、異なる発光色の発光ユニットに対応することができ、駆動ユニットは、相応した発光色の発光ユニットに一対一に対応されて接続することができる。例えば、本発明の実施例において、第１駆動素子３１内のそれぞれの前記駆動ユニットは、前記第１駆動素子が接続された第１発光部中の発光ユニットに一対一に対応するように接続され、また、前記第２駆動素子内のそれぞれの前記駆動ユニットは、前記第２発光部のうちの、それぞれの発光ユニットに一対一に対応するように接続され、また、前記第２駆動素子が第１発光部にも接続されるとき、前記第２駆動素子のうちの、それぞれの前記駆動ユニットは、前記第１発光部中の各発光ユニットに一対一に対応するように接続され、また、同一の駆動ユニットが接続された発光ユニットの発光色は同一である。
【００４７】
図６は、本発明の実施例に係るＯＬＥＤスクリーンにおける発光ユニットと駆動ユニットの接続関係を示す説明図である。第１発光部および第２発光部は、それぞれ３つの発光ユニットを含むことができる。前記３つの発光ユニットは、それぞれＲ発光ユニット、Ｇ発光ユニットおよびＢ発光ユニットであってもよい。この時、第１駆動ユニットは、３つの駆動ユニットを含むことができ、前記３つの駆動ユニットは、それぞれ前記３つの発光ユニットに一対一に対応するように接続され、また、第２駆動素子も３つの駆動ユニットを含むことができ、前記３つの駆動ユニットも、前記３つの発光ユニットに一対一に対応するように接続することができ、それぞれの発光ユニットの発光状態または発光強度をそれぞれ制御することができる。同時に、第２駆動素子は、第１発光部にも接続される場合、前記３つの駆動ユニットをそれぞれ第１発光部の３つの発光ユニットにも一対一に対応するように接続することができ、また、同一色の発光ユニットに接続された駆動ユニットは同一である。つまり、１つの駆動ユニットが第１発光部のＲ発光ユニットに接続されると、同時に第２発光部中のＲ発光ユニットにも電気的に接続され、また、１つの駆動ユニットが第１発光部中のＧ発光ユニットに接続されると、同時に第２発光部中のＧ発光ユニットにも電気的に接続され、また、１つの駆動ユニットが第１発光部中のＢ発光ユニットに接続されると、同時に第２発光中のＢ発光ユニットにも電気的に接続されて、同一色の発光ユニットの同時的な制御を実現することができる。
【００４８】
または、本発明の他の実施例では、第２駆動素子は、第２発光部のみに接続することができる。つまり、第２駆動素子のうちの、それぞれの駆動ユニットは、第２発光部のうちの、それぞれの発光ユニットに単独で電気的に接続され、それぞれの発光ユニットを駆動することができるため、第２発光部の単独制御を実現することができる。本発明の実施例は、これに対していちいち例を挙げて説明しない。なお、異なる駆動ユニットを利用して、対応する発光ユニットの制御を行うことができれば、本発明の実施例とすることができる。また、本発明の実施例では駆動ユニットと発光ユニットの数量は、需要に応じて設定することができる。本発明は、これに対して限定しない。
【００４９】
図７は、本発明の実施例に係るＯＬＥＤスクリーンにおける駆動素子内の駆動ユニットの回路構造を示す説明図である。本発明の実施例では駆動ユニット内のそれぞれの駆動ユニットの回路構造は、図７に示した通りである。第１駆動ユニット３１および第２駆動ユニット３２内の駆動ユニットの回路構造は同一であってもよく、異なってもよい。本発明の実施例では駆動ユニットの回路構造は、他の形態の回路構造であってもよい。すなわち、本発明の実施例では駆動ユニットの回路構造は、図７に示した２Ｔ１Ｃ回路に限らず、例えば６Ｔ１Ｃまたは７Ｔ１Ｃの駆動回路のその他の回路であってもよい。本発明は、これに対して具体的に限定しない。なお、対応する発光ユニットの駆動を実現することができれば、本発明の実施例とすることができる。
【００５０】
図８は、本発明の実施例に係るＯＬＥＤスクリーンにおける第２発光部と第２駆動素子の接続関係を示す説明図である。第２領域２０内には、複数個の第２発光部２１を含むことができ、それぞれの第２発光部は、ｍ行ｎ列の形態に応じて配列される。ここで、ｍおよびｎは、ともに１以上の正整数である。前記ｍ×ｎ個の第２発光部２１は、１つの第２駆動素子３２に電気的に接続することができ、前記接続された駆動素子３２によって駆動発光することができる。
【００５１】
また、本発明の実施例では、それぞれの第２発光部２１が接続された第２駆動素子３２は、第１領域のうちの、第２領域２０と隣接する位置に位置され、それぞれの第２発光部と前記第２駆動素子の接続を容易に実現することができる。また、第２発光部が第１領域内の第１発光部にも接続されるとき、それぞれの第２発光部は、接続された第２駆動素子に対応する第１発光部と同じ発光状態を示すようにすることができる。
【００５２】
また、本発明の他の実施例では、それぞれの第２発光部２１は、異なる第２駆動素子３２にも接続することができ、異なる第２駆動素子３２によって、それぞれの第２発光部２１の駆動発光を実現することができる。ここで、本発明の実施例は、同一の第２駆動素子に接続された第２発光部によって１つのグループを形成することができる。すなわち、本発明の実施例は、第２領域２０のうちのそれぞれの第２発光部２１を複数個のグループに分けることができ、また、それぞれのグループは、少なくとも１つの第２発光部２１を含むことができる。ここで、同一グループ内の第２発光部２１は、同一の第２駆動素子３２に接続され、異なるグループ内の第２発光部２１は、異なる第２駆動素子３２に接続される。本発明の実施例は、需要に応じて、第２発光部２１に対してグルーピングすることができ、それぞれのグループ内の第２発光素子が同一の第２駆動素子３２に接続されるため、同一グループ内のそれぞれの第２発光素子２１は、同一の発光状態を示すことができる。本分野の技術者は、異なる表示の需要に応じて、第２領域内のそれぞれの第２発光部に対してグルーピングすることができる。本発明の実施例は、これについて具体的に限定しない。
【００５３】
図９および図１０は、本発明の他の実施例に係るＯＬＥＤスクリーンにおける第２発光部と第２駆動素子の接続関係を示す説明図である。本発明の実施例は、行の形態に応じて、それぞれの第２発光部に対してグルーピングすることができる。ここで、第２領域２０内の同一行の第２発光部２１は、同一グループ内に配置することができ、それぞれのグループは、少なくとも１行の第２発光部を含むことができる。例えば、一可能な実現形態では、それぞれの行の第２発光部２１を１つのグループにし、第２領域内の第２発光部に対して、行数に対応する複数個のグループに分けることができ、それぞれの行の第２発光部を１つのグループに設定することができる。この時、１つのグループ内のそれぞれの第２発光部を１つの第２駆動素子３２に接続して、接続された第２駆動素子３２によって発光を駆動することができる。図８に示すように、複数行の第２発光部２１（例えば、２行の第２発光部）を含むことができ、それぞれの行の第２発光部が１つのグループを形成し、それぞれの行の第２発光部は、それぞれの第２駆動素子３２にそれぞれ電気的に接続される。ここで、それぞれの導電性媒質を介して第２発光部と、それぞれの第２駆動素子３２の電気的接続を実現することができる。なお、図９は、１つだけの第２駆動素子３２が示され、これに対して、それぞれのグループの第２発光部はともに１つの第２駆動素子３２に接続されると理解することができる。
【００５４】
本発明の他の実施例では、１つのグループ内に少なくとも２行の第２発光部２１を含むことができる。本発明の実施例は、これに対して限定せず、行の形態に応じて第２発光部に対してグルーピングし、それぞれの第２発光部の発光状態を容易に制御することができる。例えば、それぞれのグループは、異なる発光状態を示すことができる。または、それぞれのグループ内の第２発光部は、接続された第２駆動素子に対応する第１発光部と同じ発光状態を示すことができる。それぞれのグループに対して制御することにより、異なる発光効果を実現することができる。
【００５５】
または、図１１は、本発明の他の実施例に係るＯＬＥＤスクリーンにおける第２発光部と第２駆動素子の接続関係を示す説明図である。本発明の他の実施例では、列の形態に応じて、それぞれの第２発光部に対してグルーピングすることができる。ここで、第２領域２０内の同一列の第２発光部２１は、同一グループ内に配置することができ、それぞれのグループは、少なくとも１列の第２発光部を含むことができる。例えば、一可能な実現形態では、それぞれの列の第２発光部２１を１つのグループに設定し、第２領域内の第２発光部に対して列数に対応する複数個のグループに分けることができ、それぞれの列の第２発光部を１つのグループに設定することができる。このとき、１つのグループ内のそれぞれの第２発光部を１つの第２駆動素子３２に接続することができ、接続された第２駆動素子３２によって発光を駆動することができる。図１１に示すように、複数列の第２発光部２１（例えば、２列の第２発光部２１）を含むことができ、それぞれの列の第２発光部が１つのグループを形成し、それぞれの列の第２発光部は、それぞれの第２駆動素子３２にそれぞれ電気的に接続される。ここで、それぞれの導電性媒質を介して第２発光部と、それぞれの第２駆動素子３２の電気的接続を実現することができる。なお、図１０には、１つだけの第２駆動素子３２のみが示され、これに対して、それぞれの第２発光部がともに１つの第２駆動素子３２に接続されると理解することができる。
【００５６】
本発明の他の実施例では、１つのグループ内に少なくとも２列の第２発光部２１を含むことができる。本発明の実施例はこれに対して限定しない。列の形態を介して第２発光部に対してグルーピングし、それぞれの第２発光部の発光状態を容易に制御することができる。例えば、それぞれのグループは、異なる発光状態を示すことができる。または、それぞれのグループ内の第２発光部は、接続された第２駆動素子に対応する第１発光部と同じ発光状態を示すことができる。それぞれのグループの制御を介して異なる発光効果を実現することができる。
【００５７】
本発明の実施例では、それぞれのグループのためにそれぞれ第２駆動素子３２を設置することができ、前記第２駆動素子を相応のグループに隣接する位置に設置することができ、第２発光部の接続を容易に実現することができる。
【００５８】
さらに、本発明の実施例では、第２領域２０のそれぞれの行の第２発光部を複数個のグループに分け、前記複数個のグループの中のそれぞれのグループは、１つの第２駆動素子に接続することができ、また、それぞれの行のグループの数は同一であってもよく、異なってもよい。具体的には、第２領域の形状や設計の需要に応じて設定することができる。本発明の実施例はこれに対して限定しない。または、第２領域２０内のそれぞれの列の第２発光部は、複数個のグループに分けられ、前記複数個のグループの中のそれぞれのグループは、１つの第２駆動素子に接続することができ、それぞれの列のグループの数は同一であってもよく、異なってもよい。具体的には、第２領域の形状や設計の需要応じて設定することができる。本発明の実施例は、これに対して限定しない。または、本発明の他の実施例では、第２領域内に少なくとも１行の第２発光部がそれぞれ異なるグループ内に位置し、または第２領域内に少なくとも１列のそれぞれの第２発光部が異なるグループ内に配置することができる。すなわち、本発明の実施例では、少なくとも１行が１つのグループを構成し、１行に複数個のグループを含むことができる。本発明の実施例は、これに対して限定しない。
【００５９】
図１２および図１３は、本発明の他の実施例に係るＯＬＥＤスクリーンにおける第２発光部と第２駆動素子の接続関係を示す説明図である。ここで、それぞれの行の第２発光部が第１グループＣ１および第１グループＣ１と隣接する第２グループＣ２に分けられ、第１グループＣ１内の第２発光部３２は、前記行内の第１グループＣ１と隣接する第２駆動素子３２に接続され、第２グループＣ２の第２発光部は、前記行内の第２グループと隣接する第１発光部に対応する第２駆動素子３２に接続される。本発明の実施例のそれぞれのグループ内の第２発光部２１は、グループが互いに隣接する、第２駆動素子に接続することができ、前記接続された第２駆動素子によって駆動されて発光される。
【００６０】
図１４は、本発明の他の実施例に係るＯＬＥＤスクリーンにおける第２発光部と第２駆動素子の接続関係を示す説明図である。ここで、それぞれの列の第２発光部は、第３グループＣ１および第３グループＣ１と隣接する第２グループＣ２に分けられ、また、第３グループＣ１内の第２発光部３２は、前記列内の第３グループＣ１と隣接する第２駆動素子３２に接続され、第４グループＣ２内の第２発光部は、前記列内の第４グループと隣接する第１発光部に対応する第２駆動素子３２に接続される。即ち、本発明の実施例のそれぞれのグループ内の第２発光部２１は、グループが隣接する第２駆動素子に接続することができ、前記接続された第２駆動素子によって駆動されて発光することができる。
【００６１】
本発明の実施例では、同一グループ内のそれぞれの第２発光部を隣接する位置に設置して発光ユニットと駆動素子との間の接続を容易に実現することができ、それぞれの発光ユニットの表示効果を容易に制御することができる。
【００６２】
以上を纏めると、本発明の実施例は、スクリーンの一部の表示領域に駆動素子を設置せずに、他の領域に設置された駆動素子の電気的接続を介して駆動発光を実現することができ、一部の領域が透明状態を表示することができる。また、カメラなどの機能ユニットを設置するときに、前記機能性ユニットを前記透明状態の領域に直接設置することができて、機能性ユニットのためにスロットを設置したり、またはその他の位置を保留したりしておく必要がなくなって、スクリーンのフルスクリーンデザインを簡単かつ容易に実現することができる。
【００６３】
本発明の実施例は、表示制御方法をさらに提供する。前記表示制御方法は、前記実施例に記載されたＯＬＥＤスクリーンの表示を制御するのに適用することができる。図１５は、本発明の実施例に係る表示制御方法を示すフローチャートである。前記表示制御方法は、
表示制御信号を受信するステップＳ１００と、
前記表示制御信号によって前記駆動素子組を用いて前記第１発光部および前記第２発光部が発光するように駆動するステップＳ２００と、を含む。
【００６４】
駆動素子組とそれぞれの発光ユニットの具体的な配置形態は、上述したＯＬＥＤスクリーンの説明を参照することができるので、本発明は冗長に説明しない。
【００６５】
また、本願発明の実施例は、電子機器をさらに提供する。前記電子機器は、前記実施例が提供するＯＬＥＤスクリーンを含むことができ、特に、第２領域にカメラユニットなどの機能性ユニットを設置することができる。例えば、図１６は、本発明の実施例に係る電子機器のブロック図である。例えば、装置（電子機器）８００は、携帯電話、コンピュータ、デジタルブロードキャスト端末、メッセージ送受信機、ゲーム機、タブレットデバイス、医療機器、フィットネス機器、ＰＤＡ等の、表示機能を備える何れの電子機器であってもよい。
【００６６】
図１６を参照すると、装置８００は、処理ユニット８０２、メモリ８０４、電源ユニット８０６、マルチメディアユニット８０８、オーディオユニット８１０、入力/出力（Ｉ/Ｏ）インターフェース８１２、センサーユニット８１４、および通信ユニット８１６からなる群から選ばれる少なくとも１つを有してもよい。
【００６７】
処理ユニット８０２は、一般的には、装置８００の全体の操作、例えば、表示、電話呼び出し、データ通信、カメラ操作および記録操作に関連する操作を制御する。処理ユニット８０２は、上述した方法におけるステップの一部または全部を実現できるように、命令を実行する少なくとも１つのプロセッサー８２０を有してもよい。また、処理ユニット８０２は、他のユニットとのインタラクションの便宜を図るように、少なくとも１つのモジュールを有してもよい。例えば、処理ユニット８０２は、マルチメディアユニット８０８とのインタラクションの便宜を図るように、マルチメディアモジュールを有してもよい。
【００６８】
メモリ８０４は、装置８００での操作をサポートするように、各種のデータを記憶するように配置される。これらのデータは、例えば、装置８００で何れのアプリケーションまたは方法を操作するための命令、連絡先データ、電話帳データ、メッセージ、画像、ビデオ等を含む。メモリ８０４は、何れの種類の揮発性または不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクにより、或いはそれらの組み合わせにより実現することができる。
【００６９】
電源ユニット８０６は、装置８００の各種ユニットに電力を供給するためのものであり、電源管理システム、１つまたは複数の電源、および装置８００のために電力を生成、管理および分配することに関連する他のユニットを有してもよい。
【００７０】
マルチメディアユニット８０８は、装置８００とユーザーとの間に出力インターフェースを提供するスクリーンを有してもよい。スクリーンは、例えば、液晶表示（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット８０８は、フロントカメラおよび/またはバックカメラを有してもよい。装置８００が、例えば、撮影モードやビデオモードのような操作モードにある時、フロントカメラおよび/またはバックカメラが外部のマルチメディアデータを受信できる。フロントカメラおよびバックカメラのそれぞれは、固定の光学レンズ系であってもよいし、焦点距離および光学ズーム能力を有するものであってもよい。
【００７１】
オーディオユニット８１０は、オーディオ信号を出力および/または入力するように配置される。例えば、オーディオユニット８１０は、マイクロフォン（ＭｉＣ）を有してもよい。装置８００が、例えば、呼び出しモード、記録モード、または音声認識モードのような操作モードにあるとき、マイクロフォンは、外部のオーディオ信号を受信するように配置される。受信したオーディオ信号は、メモリ８０４にさらに記憶されてもよいし、通信ユニット８１６を介して送信されてもよい。一実施例では、オーディオユニット８１０は、オーディオ信号を出力するためのスピーカをさらに有してもよい。
【００７２】
Ｉ/Ｏインターフェース８１２は、処理ユニット８０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００７３】
センサーユニット８１４は、装置８００のために各方面の状態を評価する少なくとも１つのセンサーを有してもよい。例えば、センサーユニット８１４は、装置８００のオン/オフ状態や、ユニットの相対的な位置を検出することができる。例えば、前記ユニットは、装置８００の表示およびキーパッドである。センサーユニット８１４は、装置８００または装置８００の１つのユニットの位置の変化、ユーザーによる装置８００への接触の有無、装置８００の方向または加速/減速、装置８００の温度変化などを検出することができる。センサーユニット８１４は、何れの物理的な接触もない場合に付近の物体を検出するように配置される近接センサーを有してもよい。センサーユニット８１４は、イメージングアプリケーションに用いるための光センサー、例えば、ＣＭＯＳまたはＣＣＤ画像センサーを有してもよい。一実施例では、当該センサーユニット８１４は、加速度センサー、ジャイロスコープセンサー、磁気センサー、圧力センサーまたは温度センサーをさらに有してもよい。
【００７４】
通信ユニット８１６は、装置８００と他の設備の間との無線または有線通信の便宜を図るように配置される。装置８００は、例えば、ＷｉＦｉ、２Ｇまたは３Ｇ、またはそれらの組み合わせの通信標準に基づく無線ネットワークにアクセスできる。１つの例示的な実施例では、通信ユニット８１６は、ブロードキャストチャンネルを介して外部のブロードキャスト管理システムからのブロードキャスト信号またはブロードキャストに関する情報を受信する。１つの例示的な実施例では、前記通信ユニット８１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術および他の技術によって実現されてもよい。
【００７５】
例示的な実施例では、装置８００は、上述した方法を実行するために、１つまたは複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、または他の電子機器によって実現されてもよい。
【００７６】
例示的な実施例では、命令を有する非一時的コンピュータ読み取り可能な記録媒体、例えば、命令を有するメモリ８０４をさらに提供する。この命令は、装置８００のプロセッサー８２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスクおよび光データメモリ等であってもよい。
【００７７】
当業者は、明細書に対する理解、および明細書に記載された発明に対する実施を介して、本発明の他の実施形態を容易に取得することができる。本発明は、本発明に対する任意の変形、用途、または適応的な変化を含み、このような変形、用途、または適応的な変化は、本発明の一般的な原理に従い、本発明では開示していない本技術分野の公知知識、または通常の技術手段を含む。明細書および実施例は、例示的なものにすぎず、本発明の真の範囲と主旨は、以下の特許請求の範囲によって示される。
【００７８】
本発明は、前記で記述され、図面で図示した特定の構成に限定されず、その範囲を逸脱しない範囲で、様々な修正や変更を行うことができる。本発明の範囲は、添付される特許請求の範囲のみにより限定される。
【図１】
2021502578.tif 000003
【図２】
2021502578.tif 000004
【図３】
2021502578.tif 000005
【図４】
2021502578.tif 000006
【図５】
2021502578.tif 000007
【図６】
2021502578.tif 000008
【図７】
2021502578.tif 000009
【図８】
2021502578.tif 000010
【図９】
2021502578.tif 000011
【図１０】
2021502578.tif 000012
【図１１】
2021502578.tif 000013
【図１２】
2021502578.tif 000014
【図１３】
2021502578.tif 000015
【図１４】
2021502578.tif 000016
【図１５】
2021502578.tif 000017
【図１６】
2021502578.tif 000018
【手続補正書】
【提出日】平成30年12月6日(2018.12.6)
【手続補正２】
【補正対象書類名】明細書
【補正対象項目名】０００１
【補正方法】変更
【補正の内容】
【０００１】
本発明は、表示装置の分野に関するものであり、更に詳細には、ＯＬＥＤスクリーン、表示制御方法、電子機器、プログラム及び記録媒体に関するものである。
【手続補正３】
【補正対象書類名】明細書
【補正対象項目名】０００４
【補正方法】変更
【補正の内容】
【０００４】
本発明は、関連技術に存在する問題を克服するために、フルスクリーンを容易に実現できる有機発光ダイオード（ＯＬＥＤ）スクリーン、表示制御方法、電子機器、プログラム及び記録媒体を提供する。
【手続補正４】
【補正対象書類名】明細書
【補正対象項目名】００２４
【補正方法】変更
【補正の内容】
【００２４】
一可能な実現形態において、前記第２領域は、カメラユニットがさらに設けられる。
本発明の第３の態様によれば、プロセッサーに実行されることにより、上記方法を実現する、プログラムを提供する。
本発明の第４の態様によれば、上記プログラムが記録されたコンピュータ読取可能な記録媒体を提供する。
【手続補正５】
【補正対象書類名】明細書
【補正対象項目名】００６０
【補正方法】変更
【補正の内容】
【００６０】
図１４は、本発明の他の実施例に係るＯＬＥＤスクリーンにおける第２発光部と第２駆動素子の接続関係を示す説明図である。ここで、それぞれの列の第２発光部は、第３グループＣ１および第３グループＣ１と隣接する第４グループＣ２に分けられ、また、第３グループＣ１内の第２発光部３２は、前記列内の第３グループＣ１と隣接する第２駆動素子３２に接続され、第４グループＣ２内の第２発光部は、前記列内の第４グループと隣接する第１発光部に対応する第２駆動素子３２に接続される。即ち、本発明の実施例のそれぞれのグループ内の第２発光部２１は、グループが隣接する第２駆動素子に接続することができ、前記接続された第２駆動素子によって駆動されて発光することができる。
【手続補正６】
【補正対象書類名】特許請求の範囲
【補正対象項目名】全文
【補正方法】変更
【補正の内容】
【特許請求の範囲】
【請求項１】
スクリーンは、第１領域および第２領域を含み、前記第１領域は、複数個の第１発光部が設けられ、前記第２領域は、複数個の第２発光部が設けられ、
前記スクリーンは、前記第１発光部および前記第２発光部に電気的に接続され、前記第１発光部および第２発光部が発光するように駆動する駆動素子組をさらに含み、
前記駆動素子組は、前記スクリーンの前記第２領域以外の領域に設置されるとともに、少なくとも前記第１領域内に設けられることを特徴とするＯＬＥＤスクリーン。
【請求項２】
前記駆動素子組は、前記第１領域内に設けられ、または、前記第１領域および前記第１領域と前記第２領域の間隔領域に設置されることを特徴とする請求項１に記載のＯＬＥＤスクリーン。
【請求項３】
前記駆動素子組は、
前記第１領域内に設けられ、対応する前記第１発光部のみに電気的に接続されて、接続された第１発光部が発光するように駆動する少なくとも１つの第１駆動素子と、
前記第１領域内に設けられ、対応する第１発光部および第２発光部にそれぞれ電気的に接続されて、接続された第１発光部および第２発光部が発光するように駆動する少なくとも１つの第２駆動素子を含むことを特徴とする請求項１または２に記載のＯＬＥＤスクリーン。
【請求項４】
前記駆動素子組は、
前記第１領域内に設けられ、それぞれの前記第１発光部に一対一に対応するように電気的に接続されて、接続された第１発光部が発光するように駆動する複数個の第１駆動素子と、
前記第１領域および/または前記間隔領域に設置されて対応する第２発光部のみに電気的に接続されて、接続された第２発光部が発光するように駆動する少なくとも１つの第２駆動素子を含むことを特徴とする請求項２に記載のＯＬＥＤスクリーン。
【請求項５】
前記第２駆動素子は、導電性媒質を介して対応する第２発光部に電気的に接続されることを特徴とする請求項３に記載のＯＬＥＤスクリーン。
【請求項６】
前記第２領域内のそれぞれの第２発光部が同一の第２駆動素子に接続されることを特徴とする請求項３に記載のＯＬＥＤスクリーン。
【請求項７】
前記第２領域内のそれぞれの第２発光部が複数個のグループに分け、それぞれのグループは、少なくとも１つの第２発光部を含み、
同一のグループ内の第２発光部が同一の第２駆動素子に接続され、異なるグループ内の第２発光部が異なる第２駆動素子に接続されることを特徴とする請求項３に記載のＯＬＥＤスクリーン。
【請求項８】
それぞれの前記第１駆動素子および第２駆動素子は、それぞれ複数個の駆動ユニットを含み、それぞれの前記第１発光部および第２発光部は、それぞれ複数個の異なるカラーの発光ユニットを含み、
前記第１駆動素子内のそれぞれの前記駆動ユニットは、それぞれ前記第１駆動素子が接続された第１発光部中の発光ユニットに一対一に対応するように接続され、
前記第２駆動素子内のそれぞれの前記駆動ユニットは、それぞれ前記第２発光部のうち、それぞれの発光ユニットに一対一に対応するように接続され、前記第２駆動素子が第１発光部に接続される場合、前記第２駆動素子のうち、それぞれの前記駆動ユニットが前記第１発光部中のそれぞれの発光ユニットに一対一に対応するように接続され、また、同一の駆動ユニットが接続された発光ユニットの発光色は同一であることを特徴とする請求項６または７に記載のＯＬＥＤスクリーン。
【請求項９】
前記第２領域内の同一行の第２発光部が同一グループ内に位置し、それぞれのグループは、少なくとも１行の第２発光部を含むことを特徴とする請求項８に記載のＯＬＥＤスクリーン。
【請求項１０】
前記第２領域内の同一列の第２発光部が同一グループ内に位置し、それぞれのグループは、少なくとも１列の第２発光部を含むことを特徴とする請求項８に記載のＯＬＥＤスクリーン。
【請求項１１】
それぞれのグループのそれぞれの第２発光部が接続された第２駆動素子は、前記第１領域の周縁の前記グループと隣接位置に位置することを特徴とする請求項８に記載のＯＬＥＤスクリーン。
【請求項１２】
前記第２領域内のそれぞれの行の第２発光部は、第１グループおよび第１グループと隣接する第２グループに分け、
前記第１グループ内の第２発光部は、前記行内の第１グループと隣接する第２駆動素子に接続され、
前記第２グループ内の第２発光部は、前記行内の第２グループと隣接する第２駆動素子に接続されることを特徴とする請求項１１に記載のＯＬＥＤスクリーン。
【請求項１３】
前記第２領域内のそれぞれの列の第２発光部は、第３グループおよび第３グループと隣接する第４グループに分け、
前記第３グループ内の第２発光部は、前記列内の第３グループと隣接する第２駆動素子に接続され、
前記第４のグループ内の第２発光部は、前記列内の第４グループと隣接する第２駆動素子に接続されることを特徴とする請求項１１に記載のＯＬＥＤスクリーン。
【請求項１４】
同一グループ内のそれぞれの第２発光部は隣接して設けられることを特徴とする請求項７に記載のＯＬＥＤスクリーン。
【請求項１５】
前記導電性媒質は、透明な導電性材料で構成されることを特徴とする請求項５に記載のＯＬＥＤスクリーン。
【請求項１６】
前記導電性媒質は、金属導線または導電性接着層を含むことを特徴とする請求項５に記載のＯＬＥＤスクリーン。
【請求項１７】
前記発光ユニットは、ＬＥＤを含むことを特徴とする請求項８に記載のＯＬＥＤスクリーン。
【請求項１８】
ＯＬＥＤスクリーンに適用される表示制御方法であって、
前記スクリーンは、第１領域、第２領域および駆動素子組を含み、前記第１領域は、複数個の第１発光部が設けられ、前記第２領域は、複数個の第２発光部が設けられ、前記駆動素子組は、前記スクリーンの前記第２領域以外の位置に設置されるとともに、少なくとも前記第１領域内に設けられ、前記方法は、
表示制御信号を受信するステップと、
前記表示制御信号によって前記駆動素子組を用いて前記第１発光部および前記第２発光部が発光するように駆動するステップを含むことを特徴とする表示制御方法。
【請求項１９】
請求項１乃至１７のいずれか１項に記載のＯＬＥＤスクリーンを備えることを特徴とする電子機器。
【請求項２０】
前記第２領域は、カメラユニットがさらに設置されることを特徴とする請求項１９に記載の電子機器。
【請求項２１】
プロセッサーに実行されることにより、請求項１８に記載の表示制御方法を実現する、プログラム。
【請求項２２】
請求項２１に記載のプログラムが記録されたコンピュータ読取可能な記録媒体。
【国際調査報告】
2021502578.tif 000019
2021502578.tif 000020
2021502578.tif 000021
2021502578.tif 000022